(57)【要約】【課題】極めて簡単な構造により、蓋の開閉と香皿の出没を、交互に行うことができ、墓参を終えた後の火災の危険性をなくして安全性を高めた墓石用香炉を提供するものである。【解決手段】上部に開口部２を形成した香炉本体１の内側に、蓋部６と香皿７を取付けた回転体４を、蓋部６が前記開口部２を塞ぐように支持軸５に回動自在に軸支して、蓋部６が香炉本体１の内側に回動した状態で香皿７が前記開口部２に位置するように取付けると共に、香炉本体１の底部側に、香皿７が香炉本体１の内側に回転した時に、ここから落下した灰を受ける灰受け皿９を引出し状に取付けたことを特徴とするものである。【選択図】    図１
2004316305.tif 000002
【特許請求の範囲】
【請求項１】
上部に開口部を形成した香炉本体の内側に、蓋部と香皿を取付けた回転体を、蓋部が前記開口部を塞ぐように回動自在に軸支すると共に、蓋部が香炉本体の内側に回動した状態で香皿が前記開口部に位置するように取付け、香炉本体の底部側に、香皿が香炉本体の内側に回転した時に、ここから落下した灰を受ける灰受け皿を引出し状に取付けたことを特徴とする墓石用香炉。
【請求項２】
回転体に取付けた香皿が着脱自在に取付けられていることを特徴とする請求項１記載の墓石用香炉。
【請求項３】
開口部に当って回転体のストッパーを兼ねる取手を蓋部に突設したことを特徴とする請求項１記載の墓石用香炉。
【発明の詳細な説明】
【０００１】
【発明の属する技術分野】
本発明は墓前に設置して線香を上げる香炉に関するものである。
【０００２】
【従来の技術】
一般に、墓前には線香を上げる香炉が設置されている。この香炉としては石材を前後方向にくり抜いた構造のものが多く用いられている。しかしながら、線香に火を付けてから燃え尽きるまでに時間がかかり、墓参した人が帰った後も燃え続けていることが多い。このような状態で強風が吹くと、火の付いたままの線香が飛散して枯葉などに燃え移って火災になる危険がある。
【０００３】
このため香炉を箱形に形成し、前面に引戸式の扉を設けた墓石用香炉（例えば特許文献１参照）も開発されている。しかしながら、この構造は、墓石用香炉が石材で形成されているので、精度良く引戸式の扉とレール溝を加工することが難しく、また扉とレール溝との間に砂やゴミが詰まって扉の開閉を長期間に亘って安定して行なうことが難しいなどの問題があった。
【０００４】
【特許文献１】
特開２００１ー５５８４６（段落７ー１３  図１ー図４）
【０００５】
【発明が解決しようとする課題】
本発明は上記問題を改善し、極めて簡単な構造により、蓋の開閉と香皿の出没を交互に行うことができ、墓参を終えた後の火災の危険性をなくして安全性を高めた墓石用香炉を提供するものである。
【０００６】
【課題を解決するための手段】
本発明の請求項１記載の墓石用香炉は、上部に開口部を形成した香炉本体の内側に、蓋部と香皿を取付けた回転体を、蓋部が前記開口部を塞ぐように回動自在に軸支すると共に、蓋部が香炉本体の内側に回動した状態で香皿が前記開口部に位置するように取付け、香炉本体の底部側に、香皿が香炉本体の内側に回転した時に、ここから落下した灰を受ける灰受け皿を引出し状に取付けたことを特徴とするものである。
【０００７】
本発明の請求項２記載の墓石用香炉は、回転体に取付けた香皿が着脱自在に取付けられていることを特徴とするものである。更に請求項３記載の墓石用香炉は、開口部に当って回転体のストッパーを兼ねる取手を蓋部に突設したことを特徴とするものである。
【０００８】
【発明の実施の形態】
以下本発明の実施の一形態を図１ないし図６を参照して詳細に説明する。図において１は石材で形成された香炉本体で、上部に開口部２が形成され、台部３の上に重ねられている。４は断面扇形の石材で形成された回転体で、香炉本体１の内側に横方向に取付けた支持軸５を中心として回転するようになっている。この回転体４は、蓋部６を兼ねると共に、回転中心側に香皿７が支持されている。８は回転体４の外周に突設されたストッパーを兼ねる取手である。香炉本体１の底部は開口され、この下に石材で形成された台部３が設けられ、ここに灰受け皿９が引出し状に取付けられている。
【０００９】
前記回転体４は、図２に示すように断面扇形に形成され、回転中心側の両端にアーム１１、１１が突設されている。このアーム１１、１１には、軸貫通孔１２が形成され、ここに支持軸５が貫通して回転体４を回転自在に支持するようになっている。またアーム１１、１１の先端側の内面には係合ビス１３、１３が取付けられている。
【００１０】
また前記香皿７は、図３に示すように、箱状の金属枠１４の前面に、長方形状の灰落とし孔１５が開孔され、背面側に、支持軸５が横方向に貫通する軸受け溝１６が形成されている。また金属枠１４の左右側面には係合ビス１２が係合するビス孔１７が形成されている。また１８は逆Ｕ形に折曲した金網で、この金網１８を金属枠１４に差し込んで香皿７が形成されている。
【００１１】
この香皿７は、回転体４を支持している支持軸５に、軸受け溝１６を先ず挿入してから、アーム１１、１１に取付けた係合ビス１３、１３をビス孔１７、１７に係合させて、アーム１１、１１に金属枠１４を支持してから、金網１８を取付けて図１に示すように香皿７を形成する。
【００１２】
また台部３には図４に示すように上面に凹部２０が形成され、ここに灰受け皿９が引出し状に取付けられ、この上に図１に示すように回転体４を取付けた香炉本体１を重ねて墓石用香炉が形成されている。
【００１３】
上記構成の墓石用香炉は、墓前に設置し、線香を上げる時には、図１に示すように開口部２にほぼ水平に位置している香皿７に載せる。墓参が終わって帰る時には取手８を手でつかんで回転体４を手前側に回転させると、図５および図６に示すように、ストッパーを兼ねる取手８が香炉本体１の開口部２の手前側上端に当って停止する。この結果、回転体４は蓋部６となって開口部２を塞ぐので、線香がまだ燃えている状態で風が吹いても飛散することがなく安全である。
【００１４】
また回転体４が回転する過程で、ここに一体に取付けられていた香皿７も回転し、燃え残っていた線香は下方の灰受け皿９に落下し、石材で形成された灰受け皿９に接触して熱が奪われて消える。また香皿７の金網１８を通って金属枠１４の底面に落下した灰は、回転する過程で金属枠１４の前面に開孔した灰落とし孔１５から灰受け皿９に落下する。灰受け皿９に溜った灰は灰受け皿９を台部３から手前に引出すことができるので掃除も容易である。また回転体４に取付けた香皿７が、支持軸５と係合ビス１３に着脱自在に取付けられているので、香皿７を取外して容易に清掃することができる。
【００１５】
図７は本発明の他の実施の形態を示すもので、回転体４は、蓋部６と、香皿７を保持する香皿保持部２０とを一体に石材で形成したものである。また図８は本発明の異なる他の実施の形態を示すもので、回転体４を円柱状の石材で形成し、その外周の一部に、軸方向に沿って凹溝状の香皿保持部２０を形成し、ここに香皿７を挿着したものである。この構造は、回転体４が円柱状であるので回転のバランスを取るのが容易である。
【００１６】
なお上記説明では、香炉本体１と台部３を別個に形成した場合について示したが、一体に形成した構造でも良い。
【００１７】
【発明の効果】
以上説明した如く本発明に係る請求項１記載の墓石用香炉によれば、上部に開口部を形成した香炉本体の内側に、蓋部と香皿を取付けた回転体を、蓋部が前記開口部を塞ぐように回動自在に軸支すると共に、蓋部が香炉本体の内側に回動した状態で香皿が前記開口部に位置するように取付けるので、線香を上げる時には、香皿を開口部に位置させ、墓参が終わって帰る時に回転体を回転させると、回転体は蓋部となって開口部を塞ぐので、線香がまだ燃えている状態で風が吹いても飛散することがなく安全である。
【００１８】
また香炉本体の底部側に、香皿が香炉本体の内側に回転した時に、ここから落下した灰を受ける灰受け皿を引出し状に取付けたので、香皿から落下した灰を灰受け皿で捕集して、これを引出すことにより掃除が容易である。
【００１９】
また請求項２記載の墓石用香炉によれば、回転体に取付けた香皿が着脱自在に取付けられているので、香皿の清掃が容易である。また請求項３記載の墓石用香炉によれば、開口部に当って回転体のストッパーを兼ねる取手を蓋部に突設したので、香皿を使用する時と、蓋部を閉じた時とがそれぞれ安定した状態で保持することができる。
【図面の簡単な説明】
【図１】本発明の実施の一形態による墓石用香炉の断面図である。
【図２】図１の回転体を示す斜視図である。
【図３】図１の香皿を示す斜視図である。
【図４】図１の台部の取付けた灰受け皿を示す斜視図である。
【図５】蓋部を閉じた状態を示す墓石用香炉の断面図である。
【図６】蓋部を閉じた状態を示す墓石用香炉の斜視図である。
【図７】本発明の他の実施の形態による回転体を示す斜視図である。
【図８】本発明の異なる他の実施の形態による回転体を示す斜視図である。
【符号の説明】
１        香炉本体
２        開口部
３        台部
４        回転体
５        支持軸
６        蓋部
７        香皿
８        取手
９        灰受け皿
１１    アーム
１２    軸貫通孔
１３    係合ビス
１４    金属枠
１５    灰落とし孔
１６    軸受け溝
１７    ビス孔
１８    金網
２０  香皿保持部
【図１】
2004316305.tif 000003
【図２】
2004316305.tif 000004
【図３】
2004316305.tif 000005
【図４】
2004316305.tif 000006
【図５】
2004316305.tif 000007
【図６】
2004316305.tif 000008
【図７】
2004316305.tif 000009
【図８】
2004316305.tif 000010